【手続補正書】
【提出日】平成26年12月11日(2014.12.11)
【手続補正１】
【補正対象書類名】特許請求の範囲
【補正対象項目名】全文
【補正方法】変更
【補正の内容】
【特許請求の範囲】
【請求項１】
式（Ｉ）
【化１】
2013545881.tif 000001
（Ｒfは、１つまたは複数の−Ｏ−、−ＣＨ2−、−ＣＦＨ−、またはその組み合わせが任意選択で介在している、Ｃ4〜Ｃ6フルオロアルキルであり；
ｎは、１〜１０の整数であり；
Ｒ1およびＲ2はそれぞれ独立して、ＨまたはＣＨ3であり；
Ｒ3は、Ｈ、ＣＨ3、またはＣＨ2ＣＨ3であり；
Ｒ4は、Ｈ、ＣＨ3、またはＣＨ2ＣＨ3であり；
Ｒ5は、Ｃ6〜Ｃ18アルキルまたはＹであり；
Ｒ6は、Ｈ、ＣＨ3、またはＣＨ2ＣＨ3であり；
Ｒ7は、Ｈ、ＣＨ3、またはＣＨ2ＣＨ3であり；
Ｒ8は、Ｈ、ＣＨ3、ＣＨ2ＣＨ3、またはＹであり；
（ａ＋ｂ＋ｃ）が１００に等しいことを条件として、
ａは、３０〜６０モル％であり；
ｂは、０〜２０モル％であり；かつ
ｃは、４０〜７０モル％であり；
Ｙは、
【化２】
2013545881.tif 000002
であり；
Ｒ9はそれぞれ独立して、アルキル、アルキルアルコール、または水素であり；かつ
ｍは、１〜１０である）
を含むコポリマー。
【請求項２】
ＲfがＣ4〜Ｃ6であり、ａが３０〜５０モル％であり；ｂが１〜１０モル％であり；ｃが４５〜６５モル％である、請求項１に記載のコポリマー。
【請求項３】
ＲfがＣ4〜Ｃ6であり、ａが３０〜６０モル％であり、ｂが０モル％であり、ｃが４０〜７０モル％である、請求項１に記載のコポリマー。
【請求項４】
ＲfがＣ4〜Ｃ6であり、ａが３５〜４５モル％であり、ｂが０モル％であり、ｃが５５〜６５モル％である、請求項１に記載のコポリマー。
【請求項５】
Ｒ5がＣ6〜Ｃ18アルキルである、請求項１に記載のコポリマー。
【請求項６】
Ｒ5がＹであり、Ｙが
【化３】
2013545881.tif 000003
であり、
Ｒ９がそれぞれ独立して、アルキル、アルキルアルコール、または水素であり；かつ
ｍが１〜１０である、請求項１に記載のコポリマー。
【請求項７】
Ｒ5がＣ6〜Ｃ18アルキルであり；Ｒ8がＹであり、Ｙが
【化４】
2013545881.tif 000004
であり；
Ｒ9がそれぞれ独立して、アルキル、アルキルアルコール、または水素であり；かつ
ｍが１〜１０である、請求項１に記載のコポリマー。
【請求項８】
分散物の形態である、請求項１に記載のコポリマー。
【請求項９】
基材表面に撥水性、撥油性および汚れ抵抗性を付与する方法であって、
式（Ｉ）のコポリマー
【化５】
2013545881.tif 000005
（Ｒfは、１つまたは複数の−Ｏ−、−ＣＨ2−、−ＣＦＨ−、またはその組み合わせが任意選択で介在している、Ｃ4〜Ｃ6フルオロアルキルであり；
ｎは、１〜１０の整数であり；
Ｒ1およびＲ2は独立して、ＨまたはＣＨ3であり；
Ｒ3は、Ｈ、ＣＨ3、またはＣＨ2ＣＨ3であり；
Ｒ4は、Ｈ、ＣＨ3、またはＣＨ2ＣＨ3であり；
Ｒ5は、Ｃ6〜Ｃ18アルキルまたはＹであり；
Ｒ6は、Ｈ、ＣＨ3、またはＣＨ2ＣＨ3であり；
Ｒ7は、Ｈ、ＣＨ3、またはＣＨ2ＣＨ3であり；
Ｒ8は、Ｈ、ＣＨ3、ＣＨ2ＣＨ3、またはＹであり；
（ａ＋ｂ＋ｃ）が１００に等しいことを条件として、
ａは、３０〜６０モル％であり；
ｂは、０〜２０モル％であり；かつ
ｃは、４０〜７０モル％であり；
Ｙは、
【化６】
2013545881.tif 000006
であり；
Ｒ9はそれぞれ独立して、アルキル、アルキルアルコール、または水素であり；かつ
ｍは、１〜１０である）と前記基材表面を接触させることを含む方法。
【請求項１０】
式Ｉの前記コポリマーが水性分散物の形態である、請求項９に記載の方法。
【請求項１１】
前記接触が、はけ塗り、吹付け、ローラー塗り、浸し塗り、パディング、ドクターブレード、ワイプ、浸漬技術、またはウェットオンウェット手順による、請求項９に記載の方法。
【請求項１２】
前記基材が、素焼コンクリート、れんが、タイル、石、グラウト、モルタル、複合材料、セッコウボード、大理石、彫像、記念碑、または木材である、請求項９に記載の方法。
【請求項１３】
素焼コンクリート、れんが、タイル、石、グラウト、モルタル、複合材料、セッコウボード、大理石、彫像、記念碑、または木材である、請求項９に記載の方法で処理された基材。
【手続補正２】
【補正対象書類名】明細書
【補正対象項目名】００８１
【補正方法】変更
【補正の内容】
【００８１】
未処理と比較してサルティヨ表面に塗布した場合に、撥油性および撥水性に関して実施例１から１１はうまく機能した。
なお、本発明は、特許請求の範囲を含め、以下の発明を包含する。
１． 式（Ｉ）
【化１】
2013545881.tif 000007
（Ｒfは、１つまたは複数の−Ｏ−、−ＣＨ2−、−ＣＦＨ−、またはその組み合わせが任意選択で介在している、Ｃ2〜Ｃ10フルオロアルキルであり；
ｎは、１〜１０の整数であり；
Ｒ1およびＲ2はそれぞれ独立して、ＨまたはＣＨ3であり；
Ｒ3は、Ｈ、ＣＨ3、またはＣＨ2ＣＨ3であり；
Ｒ4は、Ｈ、ＣＨ3、またはＣＨ2ＣＨ3であり；
Ｒ5は、Ｃ6〜Ｃ18アルキルまたはＹであり；
Ｒ6は、Ｈ、ＣＨ3、またはＣＨ2ＣＨ3であり；
Ｒ7は、Ｈ、ＣＨ3、またはＣＨ2ＣＨ3であり；
Ｒ8は、Ｈ、ＣＨ3、ＣＨ2ＣＨ3、またはＹであり；
（ａ＋ｂ＋ｃ）が１００に等しいことを条件として、
ａは、２０〜６０モル％であり；
ｂは、０〜２０モル％であり；かつ
ｃは、４０〜７０モル％であり；
Ｙは、
【化２】
2013545881.tif 000008
であり；
Ｒ9はそれぞれ独立して、アルキル、アルキルアルコール、または水素であり；かつ
ｍは、１〜１０である）
を含むコポリマー。
２．ＲfがＣ4〜Ｃ6であり、ａが３０〜５０モル％であり；ｂが１〜１０モル％であり；ｃが４５〜６５モル％である、１に記載のコポリマー。
３．ＲfがＣ4〜Ｃ6であり、ａが３０〜６０モル％であり、ｂが０モル％であり、ｃが４０〜７０モル％である、１に記載のコポリマー。
４．ＲfがＣ4〜Ｃ6であり、ａが３５〜４５モル％であり、ｂが０モル％であり、ｃが５５〜６５モル％である、１に記載のコポリマー。
５．Ｒ5がＣ6〜Ｃ18アルキルである、１に記載のコポリマー。
６．Ｒ5がＹであり、Ｙが
【化３】
2013545881.tif 000009
であり、
Ｒ9がそれぞれ独立して、アルキル、アルキルアルコール、または水素であり；かつ
ｍが１〜１０である、１に記載のコポリマー。
７．Ｒ9がそれぞれ、水素である、６に記載のコポリマー。
８．Ｒ9がそれぞれ独立して、アルキルである、６に記載のコポリマー。
９．Ｒ5がＣ6〜Ｃ18アルキルであり；Ｒ8がＹであり、Ｙが
【化４】
2013545881.tif 000010
であり；
Ｒ9がそれぞれ独立して、アルキル、アルキルアルコール、または水素であり；かつ
ｍが１〜１０である、１に記載のコポリマー。
１０．Ｒ5がＣ6〜Ｃ18アルキルであり；Ｒ8がＹであり、Ｙが
【化５】
2013545881.tif 000011
であり；Ｒ9がそれぞれ独立して、アルキル、アルキルアルコール、または水素であり；かつ
ｍが１〜１０である、９に記載のコポリマー。
１１．Ｙが
【化６】
2013545881.tif 000012
であり；Ｒ9がそれぞれ独立して、アルキル、アルキルアルコール、または水素であり；かつ
ｍが１〜１０である、９に記載のコポリマー。
１２．Ｙが
【化７】
2013545881.tif 000013
であり；Ｒ9がそれぞれ独立して、アルキル、アルキルアルコール、または水素であり；かつ
ｍが１〜１０である、９に記載のコポリマー。
１３．Ｙが
【化８】
2013545881.tif 000014
であり；Ｒ9がそれぞれ独立して、アルキル、アルキルアルコール、または水素であり；かつ
ｍが１〜１０である、９に記載のコポリマー。
１４．分散物の形態である、１に記載のコポリマー。
１５．基材表面に撥水性、撥油性および汚れ抵抗性を付与する方法であって、
式（Ｉ）のコポリマー
【化９】
2013545881.tif 000015
（Ｒfは、１つまたは複数の−Ｏ−、−ＣＨ2−、−ＣＦＨ−、またはその組み合わせが任意選択で介在している、Ｃ2〜Ｃ10フルオロアルキルであり；
ｎは、１〜１０の整数であり；
Ｒ1およびＲ2は独立して、ＨまたはＣＨ3であり；
Ｒ3は、Ｈ、ＣＨ3、またはＣＨ2ＣＨ3であり；
Ｒ4は、Ｈ、ＣＨ3、またはＣＨ2ＣＨ3であり；
Ｒ5は、Ｃ6〜Ｃ18アルキルまたはＹであり；
Ｒ6は、Ｈ、ＣＨ3、またはＣＨ2ＣＨ3であり；
Ｒ7は、Ｈ、ＣＨ3、またはＣＨ2ＣＨ3であり；
Ｒ8は、Ｈ、ＣＨ3、ＣＨ2ＣＨ3、またはＹであり；
（ａ＋ｂ＋ｃ）が１００に等しいことを条件として、
ａは、２０〜６０モル％であり；
ｂは、０〜２０モル％であり；かつ
ｃは、４０〜７０モル％であり；
Ｙは、
【化１０】
2013545881.tif 000016
であり；
Ｒ9はそれぞれ独立して、アルキル、アルキルアルコール、または水素であり；かつ
ｍは、１〜１０である）と前記基材表面を接触させることを含む方法。
１６．式Ｉの前記コポリマーが水性分散物の形態である、１５に記載の方法。
１７．前記接触が、はけ塗り、吹付け、ローラー塗り、浸し塗り、パディング、ドクターブレード、ワイプ、浸漬技術、またはウェットオンウェット手順による、１５に記載の方法。
１８．前記基材が、素焼コンクリート、れんが、タイル、石、グラウト、モルタル、複合材料、セッコウボード、大理石、彫像、記念碑、または木材である、１５に記載の方法。
１９．素焼コンクリート、れんが、タイル、石、グラウト、モルタル、複合材料、セッコウボード、大理石、彫像、記念碑、または木材である、１５に記載の方法で処理された基材。